(57)【要約】      （修正有）【課題】空気の消耗量が低く、また、低騒音となるドライガンを提供する。【解決手段】ドライガンの本体１は一体成型のサイホン中空体１０及びグリップ１４を備え、該サイホン中空体１０内部後段孔１３の内限界端１３２と排気孔１１間には弧状導流体１１０を設置し、該サイホン中空体１０内部後段孔１３内には栓２０を容置し、該栓２０の前端面と後段孔の内端間には狭小の排気間隙Ｃを形成する。該栓内部の前錐孔２４１と弧状導流体１１０の対応により、排気間隙Ｃに進入する圧縮空気は先ず弧状導流体１１０の導引を受け、弧度に沿って該排気孔１１内へと方向転換し、外部の空気に対してサイホンの効果を生じる。しかも、その本体は異なる形態の拡散器５０と組み合わせることができる。【選択図】図２
0003142129.tif 000002
【実用新案登録請求の範囲】
【請求項１】
本体、栓、後蓋、フィルター、ソフト栓、拡散器を含むドライガンであって、
該本体はサイホン中空体及び一体成型のグリップを備え、該サイホン中空体の内部は中空の排気孔を形成し、該排気孔前端には前段孔を設置し、該排気孔後端には後段孔を設置し、該後段孔末端には内ネジヤマを設置し、該後段孔の内限界端と該排気孔の間には弧状導流体を設置し、該グリップには通気孔を設置し、該通気孔と該後段孔は貫通し、該グリップの底部はエアバルブにより螺固され、
該栓は該本体の後段孔内に容置され、該栓には環状槽を設置し、これによりＯ型リングを嵌設可能で、該栓内部には貫通し、しかも錐孔と対応する前錐孔と後錐孔を設置し、該前錐孔は内から外へと徐々に拡大する錐孔で、該弧状導流体と対応し、
該後蓋はネジヤマ部を具備し、該本体の後端に螺入し、該後蓋には貫通した進気錐孔を設置し、該後蓋の後端には容置孔を設置し、
該フィルターは該後蓋後端の容置孔内に嵌設され、
該ソフト栓は該後蓋後端の容置孔内に嵌設され、該フィルターを固定し、該ソフト栓には内錐孔を設置し、
該拡散器は該本体の前端に対応し、しかもその内部には内から外へと孔径が徐々に拡大する拡散錐孔を設置することを特徴とするドライガン。
【請求項２】
前記栓は該サイホン中空体後段孔内に容入され、該後蓋により固定されると、該栓の前端面と後段孔の内限界端間には間隙が極めて狭小の排気間隙を形成することを特徴とする請求項１記載のドライガン。
【請求項３】
前記弧状導流体の開始点の高度は該前錐孔の逆角の開始点の高度より低いことを特徴とする請求項１記載のドライガン。
【請求項４】
前記拡散器一端の嵌合軸には環状槽を設置し、Ｏ型リングを容置することを特徴とする請求項１記載のドライガン。
【請求項５】
前記フィルターは該後蓋の後方に設置されることを特徴とする請求項１記載のドライガン。
【請求項６】
前記拡散器の拡散錐孔の方向は該本体の排気孔の方向と角度を呈することを特徴とする請求項１記載のドライガン。
【考案の詳細な説明】
【技術分野】
【０００１】
本考案はドライガンに関わり、特にサイホン式のドライガンで、その本体内に設置される弧状導流体により圧縮気体の噴流の騒音を低下させることができ、しかもその本体は異なる形態の拡散器と組み合わせることができるドライガンに関するものである。
【背景技術】
【０００２】
公知のサイホン式のドライガンは主に、水溶性塗料スプレーペイントの乾燥作業に応用される。図８と図９に示すように、該ドライガンの圧縮気体は通気槽８１より３０度の角度で直接通道９１内に噴流入し、該通気槽８１の噴流口において低圧を形成し、カバー体９５外部の空気に対してサイホンの効果を生じる。これにより該カバー体９５外部の空気は該通道９１内に流入し圧縮空気と混合し、出風口９２から流出し、スプレーペイント物体に対して乾燥の効果を生じる。
【０００３】
しかし、それは使用において以下の欠点が存在する。
１．圧縮気体は通気槽８１より３０度の角度で直接通道９１内に噴流入し、相互に衝突し、さらに通道９１の内壁周囲へと拡散するため、非常に大きな騒音値が発生する。
２．進気体８０には接触端８２を設置し、該接触端８２と頭部９０内通道９１の錐口９３間にはわずかな間隙を備える。該間隙はあたかも数個のジェットノズルのようになり、圧縮空気は該数個の間隙より気室９４内へと噴流混合し、該気室９４内においてタービュランス現象を生じ、噴流が不安定となる。これでは騒音値が拡大し(デシベルメーターをドライガン口から１．５メートル離し測定した値は７５ｄｂ)、しかもサイホン効果も低下してしまうため、噴流出する空気量も少なくなってしまう。
３．圧縮気体は該通気槽８１より該通道９１内へと直接噴流入するため、圧縮空気の毎分消耗量は非常に大きく、空気圧縮機の運転量は拡大し、エネルギー消費を増大させてしまう。
【考案の開示】
【考案が解決しようとする課題】
【０００４】
公知のサイホン式スプレーペイントドライガンでは、圧縮空気の直接噴流方式を採用するため、低圧のサイホン効果及び結合口間にわずかな間隙のジェットノズルを生じ、消耗量が大きく、噴流が不安定で、騒音が大きい等という構造の問題点があった。
【０００５】
そこで、本考案は上記構造の問題点を解決したドライガンを提供することを課題とする。
【課題を解決するための手段】
【０００６】
上記課題を解決するためには、本考案は下記のドライガンを提供する。即ち、本考案のドライガンの本体はサイホン中空体を備え、及び底部に一体成型のグリップを設置し、該サイホン中空体内部前端には拡散器を設置し、反対端の後段孔内には栓を容置し、該栓の前端面は該本体後段孔の内限界端との間に間隙が極めて狭小(約０．０１〜０．０３ｍｍ)の排気間隙を形成し、該後段孔末端の内ネジ孔には後蓋を螺入し、該後段孔の内限界端面と該排気孔間には弧状導流体を設置し、該グリップは進気孔を設置し、該進気孔と該後段孔は貫通し、該栓の内部には貫通し、しかも錐孔対応する前錐孔と後錐孔を設置し、該前錐孔は内から外へと徐々に拡大する錐孔で、該弧状導流体と対応し、該後蓋後端にはフィルターを設置し、ソフト栓により嵌入固定し、該グリップの底部にはエアバルブを螺固する一方、本考案弧状導流体の開始点Ｓ１の高度は前錐孔の逆角の開始点Ｓ２の高度より低いため、圧縮空気が排気間隙に進入する時、先ず高度がより低い弧状導流体の導引を受け、弧度に沿って該排気孔内へと方向転換し、弧状導流体の形状及び狭小排気間隙の影響を受け、加速噴流し、噴流のターン位置ではより低圧のサイホン効果を生じ、外部吸入の空気を増加させるため圧縮空気の消耗量は低くなり、電気エネルギーの消費は相対的に低下し、しかもスムーズに噴流するため、その騒音値を効果的に低下させることができる。
【考案の効果】
【０００７】
上記したように、本考案は、狭小の排気間隙及び弧状導流体の導引により圧縮空気に高速低圧の安定噴流を生じさせ、騒音値の低下に有効で、さらにサイホン効果を高め、進気量を増大させ、圧縮空気の消耗量及びエネルギー消費を低下させることができる。しかも、その本体は異なる形態の拡散器を組み合わせ可能で、作業環境の必要に応じて異なる吹き付け角度の拡散器或いは異なる吹き付け面積の拡散器を組み合わせることができるため、乾燥作業の利便性を向上させることができる。
【考案を実施するための最良の形態】
【０００８】
先ずは図１、２に示すように、本考案ドライガンの実施例は本体１、栓２０、後蓋３０、フィルター４０、ソフト栓６０、拡散器５０を含む。
【０００９】
該本体１はサイホン中空体１０を備え、及び該サイホン中空体１０底部には一体成型のグリップ１４を設置する。該サイホン中空体１０内部には中空の排気孔１１を形成し、内部前端には前段孔１２を設置する。内部後端の後段孔１３末端には内ネジヤマ１３１を設置し、該後段孔１３の内限界端１３２と排気孔１１の間には弧状導流体１１０を設置する。該一体成型のグリップ１４には進気孔１５を設置し、該後段孔１３と貫通し、該グリップ１４の進気孔１５底部にはエアバルブ７０を螺固する。
【００１０】
該栓２０は該サイホン中空体１０の後段孔１３内に容置し、その前端面２１は内限界端１３２との間に間隙が極めて狭小(約０．０１〜０．０３ｍｍ)の排気間隙Ｃを形成する。該栓２０は環状槽２２を設置し、これによりＯ型リング２３を嵌設可能で、該栓２０内部には貫通し、しかも錐孔対応の前錐孔２４１と後錐孔２４２を設置する。該前錐孔２４１は内から外へと徐々に拡大する錐孔で、その行程距離は比較的に短く、該弧状導流体１１０と対応し、該後錐孔２４２の行程距離は比較的に長い。
【００１１】
該後蓋３０はネジヤマ部３１を設置し、該サイホン中空体１０の後端に螺入することができ、該栓２０を固定する。該後蓋３０には貫通した進気錐孔３２を設置し、該後蓋３０後端には容置孔３３を設置する。
【００１２】
該フィルター４０は、該後蓋３０後端の容置孔３３内に嵌設される。該ソフト栓６０は該後蓋３０後端の容置孔３３内に嵌設され、該フィルター４０を固定し、該ソフト栓６０には内錐孔６１を設置する。
【００１３】
該拡散器５０の内部には内から外へと孔径が徐々に拡大する拡散錐孔５１を設置し、該拡散器５０一端の嵌合軸５２には環状槽５３を設置し、Ｏ型リング５４を容置する。該嵌合軸５２は該Ｏ型リング５４の弾性により該サイホン中空体１０前端の容置孔１２内に緊密に嵌入することができる。
【００１４】
図２と図３に示すように、該後蓋３０が該サイホン中空体１０後端に螺入する時には、該栓２０の前端軸２０１と該サイホン中空体１０の後段孔１３間には気室１３０を形成する。これにより該進気孔１５から送り込まれた圧縮空気を環状の気室１３０内全体に充満する。該栓２０の前端面２１と後段孔１３の内限界端１３２の間には間隙が極めて狭小(約０．０１〜０．０３ｍｍ)の排気間隙Ｃを保持し、こうして圧縮空気は該排気間隙Ｃから該サイホン中空体１０内部に流入することができる。
【００１５】
図３に示すように、圧縮空気は該進気孔１５から該気室１３０内部へと導流入する時、圧縮空気は該気室１３０の形状に沿って回り該気室１３０内部全体に充満する。さらに該排気間隙Ｃを経由してサイホン中空体１０内部に導いて流入する。拡大図である図４に示すように、該弧状導流体１１０の開始点Ｓ１の高度Ｈ１は該前錐孔２４１の逆角の開始点Ｓ２の高度Ｈ２より低い。該高度Ｈ１、Ｈ２の測定は該排気間隙Ｃの開始点より測り、しかも両者の高度差は非常にわずかである。よって圧縮空気が排気間隙Ｃに進入する時には、先ず高度がより低い弧状導流体１１０により導引され、弧度に沿って該排気孔１１内へと方向転換する。該前錐孔２４１が形成する逆角は突然実体を失うため、空気流向に対して導引の作用を生じない。よって圧縮空気は逆流せず、圧縮空気は位置が比較的低い弧状導流体１１０の方向に完全に沿って噴流する。
【００１６】
図３乃至図５に示すように、該排気間隙Ｃの面積は縮小するため、慣性の法則により圧縮空気は該気室１３０より排気間隙Ｃに流入する時、圧縮空気の流速を加速する。しかも、中空環状の噴流を呈し、該弧状導流体１１０に沿って該排気孔１１方向へと導流し、しかも該排気孔１１の辺縁に接触して流動する。圧縮空気の該弧状導流体１１０位置における流速は加速するため、ベルヌーイの定理により明らかなように噴流の出口において低圧が生じる。該前錐孔２４１位置において形成される低圧は、該後蓋３０外部の空気に対してサイホン作用を生じ、外界の零圧力(メーター圧)の空気は、該後蓋３０から内部へと導いて流入し、該排気孔１１内に進入し圧縮空気と混合し、拡散混合を経て該拡散器５０の外端より噴出する。
【００１７】
図６と図７に示すように、拡散器５０Ａ及び拡散器５０Ｂは異なる型式で、しかも緊迫対応するが、分解可能な可動式設計である。そのうち、図６の拡散器５０Ａの拡散錐孔５１Ａ断面積は、図１乃至図５における実施例の拡散錐孔５１より小さい。図７中の拡散器５０Ｂの拡散錐孔５１Ｂの方向は該サイホン中空体１０の排気孔１１の方向と角度を形成し、随時取り替えることができる。該拡散器５０Ａ及び該拡散器５０Ｂに嵌設するＯ型リング５２はゴム材質で、摩擦阻害力が大きく、該拡散器５０Ａ及び該拡散器５０Ｂに従い該サイホン中空体１０に嵌設される時、摩擦阻害力は該拡散器５０Ａ及び該拡散器５０Ｂと該サイホン中空体１０を緊密に嵌合し、しかも緩みにくくし、これによりドライガン操作時に該拡散器５０Ａ及び該拡散器５０Ｂは緩み脱落する恐れはない。よって、作業環境の必要に応じて異なる吹き付け角度の拡散器５０Ｂ、或いは異なる吹き付け面積の拡散器５０Ａに交換することができ、乾燥作業の利便性を向上させることができる。
【００１８】
図１と図２に示すように、該フィルター４０は後蓋３０の後方、つまりドライガン体の後方に設置され、洗浄と取り外しが便利であるという効果を備える。該フィルター４０は空気流通を妨げることがないよう常に粉塵をブラシで取り除く必要がある。後方に設置されるフィルター４０はブラシによる清掃とメンテナンスが非常に容易で、しかも該ソフト栓６０を抜くだけで、該フィルター４０を交換或いは洗浄することができ、洗浄或いは交換ともに非常に便利である。
【００１９】
前記のソフト栓６０は軟質のゴム、シリコンゴム或いはプラスチック等材質により製造され、軟質材料により製造されるソフト栓６０は、後蓋３０への嵌設或いは取り外し共に非常に容易で、しかも軟材質は可変形の特性を備え、組み立て、固定或いは取り外しが容易で、しかも緩みによる脱落が起こり難いという特性を備える。
【００２０】
圧縮空気は該弧状導流体１１０に沿って排気孔１１の方向に方向転換して導流し、よって圧縮空気の噴流は非常に安定している（図５参照）。その騒音値(距離噴出口１．５ｍ位置で測定した騒音値)は６８ｄｂで、公知の値より７ｄｂと低い。しかもサイホン力は公知のものより強く、圧縮空気の噴流とサイホン外部空気の比例値は１：４に達し、公知の１：３の比例高に比べ、吸気量を向上させ、圧縮空気の消耗量、空気圧縮機の起動回数を減少させることができる。こうして電気エネルギーの消費はより低くなり、実用性及び進歩性を備える。
【図面の簡単な説明】
【００２１】
【図１】本考案の立体図である。
【図２】本考案の組合せ断面図である。
【図３】本考案使用時の圧縮空気とサイホン外部空気の気流説明図である。
【図４】本考案の後蓋を本体に組合せ、排気間隙を形成する局部拡大図である。
【図５】本考案使用時の気流安定流動の説明図である。
【図６】本考案別種の実施例の別の型式の拡散器に交換した組合せ断面図である。
【図７】本考案さらに別種の実施例のさらに別の型式の拡散器に交換した組合せ断面図である。
【図８】公知のドライガンの組合せ断面図である。
【図９】公知のドライガンの進気体の立体図である。
【符号の説明】
【００２２】
１      本体
１０    サイホン中空体 
１１    排気孔
１１０  弧状導流体
１２    前段孔
１３    後段孔
１３０  気室
１３１  内ネジ孔
１３２  内限界端
１３３  気流孔
１４    グリップ
１５    進気孔
２０    栓
２０１  前端軸 
２１    前端面
２２    環状槽
２３    Ｏ型リング
２４１  前錐孔
２４２  後錐孔
３０    後蓋 
３１    ネジヤマ部
３２    進気錐孔
３３    容置孔
４０    フィルター
５０    拡散器
５１    拡散錐孔
５２    嵌合軸
５３    環状槽
５４    Ｏ型リング
６０    ソフト栓
６１    内錐孔
７０    エアバルブ
Ｃ      排気間隙
Ｓ１    開始点
Ｓ２    開始点
Ｈ１    高度
Ｈ２    高度
８０    進気体
８１    通気槽
８２    接触端
９０    頭部
９１    通道
９２    出風口
９３    錐口
９４    気室
９５    カバー体
【図１】
0003142129.tif 000003
【図２】
0003142129.tif 000004
【図３】
0003142129.tif 000005
【図４】
0003142129.tif 000006
【図５】
0003142129.tif 000007
【図６】
0003142129.tif 000008
【図７】
0003142129.tif 000009
【図８】
0003142129.tif 000010
【図９】
0003142129.tif 000011